(57)【要約】      （修正有）【課題】いけす装置の大きさを任意に変えることが可能で、メンテナンスが容易であり、さらに養殖いけす装置として優れた安定性が確保される養殖用バラストタンク付いかだ枠を提供する。【解決手段】四角または多角形の直線部を切断した形の軽量ないかだを組み合わせ、さらに、バラストタンク１８を設ける。【選択図】図４
2005278624.tif 000002
【特許請求の範囲】
【請求項１】
安定性を保ち、且つ安全に作業ができるようにバラストタンクを設けた養殖いけす装置のいかだ枠。
【請求項２】
四角形または多角形の直線部を切り離すことによって、いけす装置の大きさを任意に変えることが可能となり、さらに、波浪の力を分散させ、和らげることができるため、外海での使用が可能となった請求項１記載の養殖いけす装置のいかだ枠。
【発明の詳細な説明】
【技術分野】
【０００１】  本発明は、魚を水面下で養殖するための養殖いけす装置のいかだ枠に関するものである。
【背景技術】
【０００２】  海中に張設した網により囲まれた空間内を、魚介類の養殖や捕獲収容に用いるいけす装置は、海面に浮揚するいかだ枠体により網を垂下支持するものである。このいかだ枠体を用いた養殖いけす装置が、波浪などの外力に耐えるものであるためには、一般に曲げ剛性の大きないかだ枠体が必要とされる。
【発明の開示】
【発明が解決しようとする課題】
【０００３】  養殖いけす装置（以下、いけす装置）内の魚介類への給餌、生育状態の観察などの作業を、いかだ枠体上で行うのが通常である。しかし、上述したいけす装置のいかだ枠では、作業者の体重を支えることはできるものの、波浪の影響を受けやすく、安定性が悪くなる。【０００４】  また、波浪の影響を少なくしても剛固な継手を足場とするため、足場の位置が限定され、安全に作業できないという問題があった。【０００５】  さらに、いけす装置は海に設置後、交換するまで浮かんでいるため、海水による腐食が激しく、２〜３年のうちに海から引き上げ、新しいいけす装置と交換するのが通常であった。その際、いけす装置本体の重量が大きいなどのため、引き上げと設置、メンテナンスに多くの時間と労力が必要であるという問題もあった。【０００６】  また、従来のいけす装置は大きさを自由に変えることが不可能であった。そのため、養殖の規模を大きくする際には、いけす装置の数を増やすことや、より大きないけす装置と交換しなければならないなど、より多くのコストがかかってしまうという問題があった。【０００７】  その上、波浪の影響を受けやすい外海では浮子式いけすのように、網に直接フロートを取り付けて、養殖を行う方法しかなかった。そのため、安全に作業することが困難であった。
【課題を解決するための手段】
【０００８】  本発明の養殖いけす装置では、四角または多角形の直線部を切断した形の軽量なバラストタンク付いかだを組み合わせ、四角または多角形のいけす装置を構成するものである。そのため、設置、メンテナンスを容易にでき、耐久性にも優れている。【０００９】  またバラストタンク内に水を入れて使用するため、海上に設置しても優れた安定性を確保できるのである。それにより、転落事故を未然に防ぎ、安全に作業することが可能となる。
【発明の効果】
【００１０】  上述したように、四角または多角形の直線部を切断した形のバラストタンク付いかだを組み合わせていけす装置を構成するため、いけす装置の大きさを任意に変えることが可能である。【００１１】  また本発明のいかだは、軽量な材質を用いるため、容易にメンテナンスができる。そのため、半永久的にいけす装置として使用することが可能とするものである。【００１２】  さらに、バラストタンクに水を入れることにより、養殖いけす装置に優れた安定性が生まれる。それに加え、足場を制限されることなく自由に動けるため、転落事故などが減少し、安全に作業ができる。【００１３】  また、本発明のいけす装置のバラストタンク付いかだは、一つ一つを分離して使用することができるため、波浪による揺れを分散させ、和らげることができる。そのため、外海での使用も可能である。
【発明を実施するための最良の形態】
【００１４】  以下、図面を参照して本発明の好適な実施形態について詳述する。【００１５】  図１は、本発明養殖いけす装置（以下、いけす装置）全体を示す斜視図である。【００１６】  図２は本発明養殖用バラストタンク付いかだ枠（以下、バラストタンク付いかだ枠）全体の平面図、図３はバラストタンク付いかだ枠全体の斜視図である。図８がかぎ型バラストタンク付いかだ枠の平面図、斜視図が図９である。各かぎ型バラストタンク付いかだ枠１６の内側となる外壁にブルワーク１９を配置し、ブルワーク１９に仕切り網固定口２０を開け、そこに網を取り付けて使用する。【００１７】  またデッキ２２を設けることにより、作業を安全且つ効率よくすることが可能である。さらにこのかぎ型バラストタンク付いかだ枠１６は、軽量で強度的に優れた、例えばＦＲＰのような材を用いるのが好ましい。このような材を用いることにより、メンテナンスを容易にし、このいけす装置を半永久的に使用することが可能となるのである。【００１８】  そして、デッキ２２の内部に水密隔壁２１を設け、バラストタンク１８を作った。さらに、バラストタンク１８内にエアータンク１７を設置する。これにより万が一、外壁が破れるなどの非常事態が起きても、かぎ型バラストタンク付いかだ枠１６が水没することを防ぐことができる。【００１９】  図７のバラストタンク付いかだの断面図が示すように、デッキ２２の上部に注入排水スカッパ２３を取り付ける。これと同時に、デッキ２２には滑り止めを設け、安全且つ容易に作業ができる。【００２０】  さらに本発明いけす枠は、外海など波浪の影響を受けやすい所では、図３から図４のように各かぎ型バラストタンク付いかだ枠１６を離して使用することが可能である。その際、例えば廃棄されたタイヤのようなクッション材を介設しながら、バラストタンク付いかだ枠１６を相互に舫うなどして連結することで、波浪などの外因から破損することなどを防止することができる。【００２１】  その上、図５のように、かぎ型バラストタンク付いかだ枠１６それぞれの間に、図１０の直方体バラストタンク付いかだ枠２４を挟むことによって、図３から図５のようにいけす装置の大きさを任意に変えることが可能となる。【００２２】  これも、図４と同様に外海など波浪の影響を受けやすいところでは、図６のようにして使用することができる。【００２３】  また、図３、図５のように四角形のいけす装置だけでなく、図１２のような多角形のいけす装置を製作、使用することが可能である。この多角形のいけす装置においても、図５と同様にかぎ型バラストタンク付いかだ１６の間に、直方体バラストタンク付いかだ２４を挟むことによって、図１２から図１３のようにいけす装置の大きさを任意に変えることができる。【００２４】  さらに、図１４、図１５のように使用することで、波浪の影響を受けやすい外海での養殖を可能とする。
【産業上の利用可能性】
【００２５】  本発明は養殖いけす装置の船形いかだ枠において、バラストタンクを構成することにより、個別独自のフロートの設置を不要とするとともに、安定性を大きく高めるものである。また、四角形または多角形の直線部を切断することで、養殖いけす装置の大きさを任意に変えることができることと、外海での養殖が可能になったいけす装置のいかだ枠に関するものである。
【図面の簡単な説明】
【００２６】
【図１】    本発明の一実施例を示すいけす装置全体の斜視図
【図２】    本発明の一実施例を示すバラストタンク付いかだ枠の平面図
【図３】    本発明の一実施例を示すバラストタンク付いかだ枠の斜視図
【図４】    本発明の一実施例を示すバラストタンク付いかだ枠の斜視図
【図５】    本発明の一実施例を示すバラストタンク付いかだ枠の斜視図
【図６】    本発明の一実施例を示すバラストタンク付いかだ枠の斜視図
【図７】    本発明バラストタンク付いかだ枠の断面図
【図８】    本発明かぎ型バラストタンク付いかだ枠の平面図
【図９】    本発明かぎ型バラストタンク付いかだ枠の斜視図
【図１０】    本発明直方体バラストタンク付いかだ枠の平面図
【図１１】    本発明直方体バラストタンク付いかだ枠の斜視図
【図１２】    本発明バラストタンク付いかだ枠の他の実施例を示す図
【図１３】    本発明バラストタンク付いかだ枠の他の実施例を示す図
【図１４】    本発明バラストタンク付いかだ枠の他の実施例を示す図
【図１５】    本発明バラストタンク付いかだ枠の他の実施例を示す図
【符号の説明】
【００２７】  １６  かぎ型バラストタンク付いかだ
１７  エアータンク
１８  バラストタンク
１９  ブルワーク
２０  仕切り網固定口
２１  水密隔壁
２２  デッキ
２３  注入排水スカッパ
２４  直方体バラストタンク付いかだ
２５  仕切り網取付部
【図１】
2005278624.tif 000003
【図２】
2005278624.tif 000004
【図３】
2005278624.tif 000005
【図４】
2005278624.tif 000006
【図５】
2005278624.tif 000007
【図６】
2005278624.tif 000008
【図７】
2005278624.tif 000009
【図８】
2005278624.tif 000010
【図９】
2005278624.tif 000011
【図１０】
2005278624.tif 000012
【図１１】
2005278624.tif 000013
【図１２】
2005278624.tif 000014
【図１４】
2005278624.tif 000015
【図１５】
2005278624.tif 000016
【手続補正書】
【提出日】平成16年7月5日(2004.7.5)
【手続補正２】
【補正対象書類名】図面
【補正対象項目名】全図
【補正方法】変更
【補正の内容】
【書類名】図面    【図１】2005278624.tif 000017
【図２】2005278624.tif 000018
【図３】2005278624.tif 000019
【図４】2005278624.tif 000020
【図５】2005278624.tif 000021
【図６】2005278624.tif 000022
【図７】2005278624.tif 000023
【図８】2005278624.tif 000024
【図９】2005278624.tif 000025
【図１０】2005278624.tif 000026
【図１１】2005278624.tif 000027
【図１２】2005278624.tif 000028
【図１３】2005278624.tif 000029
【図１４】2005278624.tif 000030
【図１５】2005278624.tif 000031